(57)【要約】【課題】不正操作に対して極めて高い防犯性能を有するとともに正規の解錠操作が容易で、かつ製作コストの低廉な遊技機用施錠装置を提供する。【解決手段】遊技機の外枠及び該外枠に開閉可能に枢支される本体枠の一方に設けられるストライカ２と、該外枠及び該本体枠の他方に設けられ該ストライカ２と係脱可能なフック３と、該ストライカ２と係合した該フック３を常時係止するとともに解放動作可能なポール４と、該ポール４と係合するとともに鍵を用いた操作により該ポールを解放駆動する錠付カム機構６（シリンダ錠６１、揺動カム６２、スライダ６３）と、を備える遊技機用施錠装置１であって、前記フック３を係止している前記ポール４の解放方向に位置して解放動作を禁止するとともに、前記錠付カム機構６と係合して駆動されかつ該ポール４よりも先行動作して該ポール４の解放動作を許容するストッパ部材５を備える。【選択図】図２
2009160223.tif 000002
【特許請求の範囲】
【請求項１】
遊技機の外枠及び該外枠に開閉可能に枢支される本体枠の一方に設けられるストライカと、該外枠及び該本体枠の他方に設けられ該ストライカと係脱可能なフックと、該ストライカと係合した該フックを常時係止するとともに解放動作可能なポールと、該ポールと係合するとともに鍵を用いた操作により該ポールを解放駆動する錠付カム機構と、を備える遊技機用施錠装置であって、
前記フックを係止している前記ポールの解放方向に位置して解放動作を禁止するとともに、前記錠付カム機構と係合して駆動されかつ該ポールよりも先行動作して該ポールの解放動作を許容するストッパ部材を備えることを特徴とする遊技機用施錠装置。
【請求項２】
前記フックと前記ポールとの間に配置され、かつ該フックに設けられた係止溝に向けて該ポールを付勢する付勢手段を備える請求項１に記載の遊技機用施錠装置。
【請求項３】
前記錠付カム機構は、鍵を用いた操作を行うカム本体と、該カム本体に係合して操作力を伝達する連結部材とを有し、該連結部材に前記ポール及び前記ストッパ部材の少なくとも一方が係合されている、請求項１または２に記載の遊技機用施錠装置。
【請求項４】
前記ストライカ及び前記フックとは別体でかつ前記本体枠を前記外枠に施錠するとともに前記連結部材に係合して操作される第二施錠手段を備える請求項２または３に記載の遊技機用施錠装置。
【請求項５】
前記ストライカは前記外枠に設けられ、前記フックと前記ポールと前記錠付カム機構とは前記本体枠に設けられ、前記外枠または前記本体枠に枢支されかつ該本体枠に対して開閉可能なガラス枠を施錠するとともに前記連結部材に係合して操作されるガラス枠施錠手段を備え、前記カム本体の操作方向を切り替えることにより該連結部材の動作方向が反転して、前記本体枠または前記ガラス枠のいずれか一方が選択的に解除操作される、請求項４に記載の遊技機用施錠装置。
【発明の詳細な説明】
【技術分野】
【０００１】
本発明は、パチンコ台などの遊技機の施錠装置に関し、より詳細には防犯性能を高めた施錠装置に関する。
【背景技術】
【０００２】
遊技店に設置されるパチンコ台などの遊技機は、遊技機の外枠と、外枠に開閉可能に枢支された本体枠及びガラス枠と、を主要部材として構成されるのが一般的である。遊技面を備えた本体枠には電子制御装置や表示装置などが多数搭載されており、遊技者が勝手に触れられないように、外枠と本体枠との間及び、本体枠とガラス枠との間は常時施錠されている。一方、遊技中の不具合への対応や閉店後の調整の際には、錠を解いて本体枠やガラス枠を開閉する必要が生じる。したがって、遊技機用施錠装置には、不特定者の不正な解錠操作を確実に防止するとともに、係員が容易に解錠できる構造が必要とされてきた。
【０００３】
従来の遊技機用施錠装置では、施錠する一方の枠にストライカと呼ばれる被係止部材が設けられ、他方の枠にフックと呼ばれて被係止部材を係脱する係止部材が設けられ、さらに係止部材を駆動するスライダ部材及びシリンダ錠が設けられるのが、一般的な構造とされていた。そして、係員は鍵を用いてシリンダ錠を操作することにより解錠を行うようになっていた。また、シリンダ錠の操作方向を反転させることにより、スライダ部材の作動方向が切り替わって、本体枠またはガラス枠が選択されて解錠されるように構成されていた。しかしながら、この構造では、枠の隙間から針金等を用いて不正操作されるおそれがあるため、防犯性能を高めた施錠装置が各種開発されてきた。例えば、ストライカ及びフックに相当する施錠手段を複数組設けて複数箇所で施錠し、スライダ部材により共通に解錠操作できるようにした構造が普及している。また、特許文献１に開示される遊技機の解錠ロック装置では、スライダ部材に相当するロッドに規制ピンを設け、さらに規制ピンをロックするロック手段を設けて、セキュリティー対策としている。すなわち、ロック手段を解除しない限りロッドが動かない構造とされて従来の錠と二重化され、仮に不正操作によってロッドに外力が加えられても解錠できないようになっている。
【特許文献１】特開平１１−２３５４５１号公報
【発明の開示】
【発明が解決しようとする課題】
【０００４】
ところで、ストライカ及びフックを複数組設けても、共通に解錠操作を行うスライダ部材が不正操作されると解錠されてしまうという懸念は解消されていない。特許文献１の解錠ロック装置では、ロック手段をロックピンと付勢手段とで構成し、その解除手段としてソレノイドを用いて電気的な施錠を行い、従来の錠による機械的な施錠と併用している。しかしながら、この態様では、遊技機に電源が供給されていないときに解錠を行うことができず、取り扱い上著しく不便であった。また、このように電気的施錠手段と機械的施錠手段とを併用することは、正規の解錠操作を煩雑化するとともにコストの上昇を招いていた。
【０００５】
本発明は上記背景に鑑みてなされたものであり、不正操作に対して極めて高い防犯性能を有するとともに正規の解錠操作が容易で、かつ製作コストの低廉な遊技機用施錠装置を提供する。
【課題を解決するための手段】
【０００６】
本発明の遊技機用施錠装置は、遊技機の外枠及び該外枠に開閉可能に枢支される本体枠の一方に設けられるストライカと、該外枠及び該本体枠の他方に設けられ該ストライカと係脱可能なフックと、該ストライカと係合した該フックを常時係止するとともに解放動作可能なポールと、該ポールと係合するとともに鍵を用いた操作により該ポールを解放駆動する錠付カム機構と、を備える遊技機用施錠装置であって、前記フックを係止している前記ポールの解放方向に位置して解放動作を禁止するとともに、前記錠付カム機構と係合して駆動されかつ該ポールよりも先行動作して該ポールの解放動作を許容するストッパ部材を備えることを特徴とする。
【０００７】
ストライカとフックの組み合わせは、従来の構造を適用することができる。例えば、ピン状のストライカと、ストライカが嵌入係合するＵ字状の係合溝を有し係合により揺動するフックと、を用いることができる。フックの外周には係止溝を設け、この係止溝にポールが常時係合するように構成することができる。そして、錠付カム機構からの操作により、ポールを係止溝から解放するように構成することができる。本発明ではさらに、ポールが係止溝から解放される方向にストッパ部材を設ける。ストッパ部材は、ポールの解放方向に常時位置して解放動作を禁止するとともに、錠付カム機構からの操作により変位してポールの解放方向を開く。錠付カム機構は、操作によりまずストッパ部材を駆動し、続けてポールを駆動するように構成することができる。例えば、直動操作または回動操作される錠付カム機構において、変位が小さい段階でストッパ部材に係合して駆動し、変位が増加した時点でポールに係合して駆動する構造とすることができる。
【０００８】
上述の本発明の遊技機用施錠装置では、外枠に向けて本体枠が閉じられると、ストライカがフックに嵌入係合し、この係合状態を保持するようにポールがフックを係止し、さらに、ストッパ部材がポールの解放方向に位置して解放動作を禁止する。つまり、ストライカとフックとの係合状態は、ポールとストッパ部材とにより二重に施錠されていることになる。この施錠状態を解錠するためには、まずストッパ部材を駆動してポールの解放方向を開き、次にポールを駆動してフックを解放するという、２つの部材を順番に所定方向に駆動する二重化された操作が必要となる。したがって、鍵を持たない不特定者が、遊技台の隙間から針金を用いたりして不正に解錠操作することは難しく、極めて高い防犯性能が具備される。
【０００９】
一方、係員が鍵を用いた操作により錠付カム機構を駆動すれば、錠付カム機構はまずストッパ部材を先行動作させることによりポールの解放動作を許容し、続いてポールを解放駆動し、フックを解放することができる。この一連の解錠操作は、例えば、鍵を差し込んで回動するという単純な操作により行うことができる。つまり、正規の解錠操作は従来と同程度に容易としつつ、不正操作に対する防犯性能を高めることができる。
【００１０】
さらに、ストッパ部材を備える構成は、数個の機構部品を追加することで実現できるので、電気的な施錠手段を併用する構成と比較してコストは低廉である。
【００１１】
前記フックと前記ポールとの間に配置され、かつ該フックに設けられた係止溝に向けて該ポールを付勢する付勢手段を備える、ことが好ましい。付勢手段を設けることにより、ポールはフックを確実に係止することができ、また付勢手段に抗しての不正操作をより困難にすることができる。
【００１２】
前記錠付カム機構は、鍵を用いた操作を行うカム本体と、該カム本体に係合して操作力を伝達する連結部材とを有し、該連結部材に前記ポール及び前記ストッパ部材の少なくとも一方が係合されている、ことでもよい。
【００１３】
ポール及びストッパ部材は、ともにカム本体に係合して直接駆動されるように構成することもできるが、少なくとも一方は間に連結部材を介装するようにしてもよい。適宜連結部材を用いることにより、ポール及びストッパ部材へ伝わる操作力の大きさや方向、駆動タイミングなどを調整することができ、適切な駆動機構とすることができる。また、連結部材は、次に述べるように、別に設けた施錠手段を共通に駆動することもできる。
【００１４】
前記ストライカ及び前記フックとは別体でかつ前記本体枠を前記外枠に施錠するとともに前記連結部材に係合して操作される第二施錠手段を備える、ようにしてもよい。
【００１５】
例えば、連結部材を本体枠または外枠に沿って上下に延設しかつ上下動可能とし、連結部材の上下のいずれか一端でポールまたはストッパ部材の一方を操作し、他端で第二施錠手段を操作し、ポールまたはストッパ部材の他方は本体カムで直接操作する、ように構成することができる。この態様によれば、ストライカとフックとの係合状態がポールとストッパ部材とにより二重に施錠され、さらに第二施錠手段が併用されるため、施錠の信頼性は一層向上される。また、仮に連結部材が不正操作されても、ポールまたはストッパ部材の他方は操作されないので、本体枠は解錠されない。
【００１６】
前記ストライカは前記外枠に設けられ、前記フックと前記ポールと前記錠付カム機構とは前記本体枠に設けられ、前記外枠または前記本体枠に枢支されかつ該本体枠に対して開閉可能なガラス枠を施錠するとともに前記連結部材に係合して操作されるガラス枠施錠手段を備え、前記カム本体の操作方向を切り替えることにより該連結部材の動作方向が反転して、前記本体枠または前記ガラス枠のいずれか一方が選択的に解除操作される、ようにしてもよい。
【００１７】
カム本体の操作方向及び連結部材の動作方向を切り替え可能な構造とすることにより、ガラス枠施錠手段の解錠をも選択的に行えるようにすることができる。
【００１８】
第二施錠手段及びガラス枠施錠手段を備えて、カム本体及び連結部材で共通に解錠操作可能とした構成は、遊技機に好ましい態様である。なお、第二施錠手段及びガラス枠施錠手段の方式や構造に制約はなく、本発明のストライカ、フック、ポール、ストッパ部材を応用することもできる。
【発明の効果】
【００１９】
上述の本発明の遊技機用施錠装置では、ストライカと係合したフックを常時係止するポールの解放方向に位置するストッパ部材を設けたので、解錠操作が二重化され、不正操作に対して極めて高い防犯性能を有するとともに、鍵を用いた正規の解錠操作は従来と同程度に容易である。また、ストッパ部材は数個の機構部品を追加することで実現できるので、電気的な施錠手段を併用する構成と比較してコストは低廉である。
【発明を実施するための最良の形態】
【００２０】
本発明を実施するための最良の形態を、図１〜図６を参考にして説明する。まず、図１を参考にして、遊技機の一般的な構造を説明する。図示されるように、遊技機９は、立設された略矩形枠状の外枠９１と、遊技面や遊技ハンドルなどを備えた本体枠９２と、常時本体枠９２を覆うガラス枠９３と、を主にして構成されている。本体枠９２及びガラス枠９３は、外枠９１の左端前面に設けられた枢支部９４により、開閉可能に枢支されている。すなわち、本体枠９２は、図中左側の一辺部を軸心として回動することにより、外枠９１に対して開閉するようになっている。また、ガラス枠９３は、図中奥側の一辺部を軸心として回動することにより、本体枠９２に対して開閉するようになっている。ここで、本体枠９２とガラス枠９３とは独立して開閉するため、別々に施錠することが必要である。そして、施錠装置の多くの部材は本体枠９２の右側面９５に配設され、一部は外枠９１及びガラス枠９３の対向する部位に配設されている。
【００２１】
次に、本発明の実施例の遊技機用施錠装置について、図２を参考にして説明する。図２は、実施例の遊技機用施錠装置１を遊技機から取り外して遊技機左側からみた斜視図であり、図中右側が遊技機の正面となる。また、施錠装置１の上側の部分は省略されている。実施例の施錠装置１は、本体枠９２を外枠９１に上下２箇所で施錠しさらにガラス枠９３を本体枠９２に上下２箇所で施錠するものであり、それぞれの下側箇所の施錠状態が図示されている。実施例の施錠装置１では、外枠９１に設けられたストライカ２と、本体枠９２に固設されるベース８上に配設されたフック３、ポール４、ストッパ部材５、錠付カム機構６、により本体枠９２の施錠装置が構成されている。さらに、ガラス枠９３に設けられたガラス枠用ストライカと、ベース上８上に配設されたガラス枠用フック７及び兼用の錠付カム機構６と、によりガラス枠９３の施錠装置が構成されている。
【００２２】
ストライカ２はピン状の部材であり、図２には省略された外枠９１の右側面内側に、取付金具２１を用いて水平内向きに立設されている。
【００２３】
ベース８は、本体枠９２の右側面に上下に長く延設されている。ベース８には、以降に説明するように、施錠装置１を構成する部材が取り付けられている。フック３は、ベース８のストライカ２に対向する位置に枢支されて揺動する略板状の部材である。フック３は、図２に示されるように、中央下部に枢支される枢支部３１をもち、図中上左側にストライカ２が嵌入する略Ｕ字状の係合溝３２が設けられている。係合溝３２の上側の開口は拡げられており、図の状態からフック３が反時計回りに揺動したときにストライカ２がスムーズに左方に離脱できるようになっている。また離れているストライカ２が左方からフック３に接近し、続いてスムーズに嵌入できるようになっている。フック３の上右端には突部３９が形成され、突部３９の左側にポール４が係脱するＶ字状の係止溝３３が設けられている。さらに、フック３の右下から右方に向けてばね取付アーム３４が延設され、その先端付近に取付凹部３５が形成されている。
【００２４】
ポール４は、フック３の上方に設けられて、フック３に係脱する部材である。ポール４は、図中左側にベース８に枢支される枢支部４１をもち、図中右方向に延設されている。ポール４の中央下側には下方に向けて鋭角状に突出した係止突起４２が設けられ、係止突起４２はフック３の係止溝３３に係脱するようになっている。さらに、ポール４の右端４４付近に取付凹部４３が形成されている。ポール４の取付凹部４３と、フック３の取付凹部３５との間には、両者を引き合うように付勢するコイル状のポール付勢ばね４５が橋架されている。ポール付勢ばね４５の作用により、係止突起４２は係止溝３３に向けて常時圧接され、ポール４は常時確実にフック３を係止するようになっている。
【００２５】
ストッパ部材５は、ポール４の右端４４上方に設けられて、ポール４の解放方向に位置する部材である。ストッパ部材５は、その略中央にベース８に枢支される枢支部５１をもち、図中紙面表裏方向に揺動するようになっている。枢支部５１の近傍にはストッパ部材５を図中反時計回りに付勢するストッパ付勢ばね５７が設けられている。ストッパ付勢ばね５７の作用により、ストッパ部材の図中右下のストップ端５２は常時ポール４の右端４４の上方に位置するようになっている。つまり、ポール４の右端４４が上昇する解放方向にストップ端５２が位置して、常時解放動作を禁止している。ストッパ部材５の図中左上の被駆動端５３には後述する錠付カム機構６の揺動カム６２が係合されている。揺動カム６２は、ストッパ付勢ばね５７に抗してストッパ部材５を時計回りに駆動できるようになっており、このときストップ端５２は紙面裏面方向に移動してポール４の右端４４の解放方向を開くようになっている。
【００２６】
錠付カム機構６は、シリンダ錠６１及び揺動カム６２からなるカム本体と、揺動カム６２に係合して駆動されるスライダ６３と、を有している。シリンダ錠６１は、図中右側の遊技機正面から鍵を差し込んで、左右に回転揺動操作するものである。以下、図３を参考にしてさらに詳述する。図３（１）は実施例の施錠装置１を遊技機の裏面側からみた背面図、（２）は施錠装置１を遊技機の左側面側からみた左側面図である。図示されるように、揺動カム６２は、上下対称に折れ曲がり、中央６２１がシリンダ錠６１に固定されて一体に揺動するようになっている。揺動カム６２の折れ曲がった内下側には上昇駆動部６２２が設けられ、内上側には下降駆動部６２３が設けられている。ここで、揺動カム６２が図３（１）で反時計回りに駆動されると（正面の鍵は時計回り）、上昇駆動部６２２が上昇しながらストッパ部材５の被駆動端５３を押圧し、ストッパ部材５を時計回りに駆動するようになっている。
【００２７】
スライダ６３は、本発明の連結部材に相当するものであり、ベース８に沿って上下に長く延設され、上下動することにより操作力を伝達するようになっている。スライダ６３は２個の長穴６３１を有し、各長穴６３１は、ベース８に設けられた保持ピン８１により上下動可能に保持されている。スライダ６３には、揺動カム６２の上昇駆動部６２２と下降駆動部６２３との間に位置する従動部６３２が設けられている。つまり、揺動カム６２が反時計回りに駆動されると、上昇駆動部６２２がスライダ６３の従動部６３２に下側から当接して押し上げるので、スライダ６３は上昇する。逆に、揺動カム６２が時計回りに駆動されると、下降駆動部６２３がスライダ６３の従動部６３２に上側から当接して押し下げるので、スライダ６３は下降する。また、スライダ６３にはポール４の下側に回り込んで立設されるポール駆動爪６３３が設けられている。そして、スライダ６３が上昇すると、ポール駆動爪６３３がポール４を上方に駆動し、ポール４は枢支部４１を中心にして上方に揺動し、係止突起４２が係止溝３３から抜け出るようになっている。
【００２８】
また、ガラス枠９３用の施錠装置として、ガラス枠９３側には板状のガラス枠用ストライカが設けられ、ベース上８上にはガラス枠用フック７１が設けられている。図２及び図３に示されるように、ガラス枠用フック７１の中央はベース８により枢支される枢支部７１１であり、ガラス枠９３に向かう一端には係止爪７１２が形成され、他端には被駆動部７１３が形成されている。また、ガラス枠用フック７１の中央右寄り下部には付勢ばね７１４が設けられ、常時は係止爪７１２を下方に付勢している。一方、スライダ６３の上部寄りには、ガラス枠用フック７１を駆動するためのガラス枠用駆動爪６３４が設けられている。そして、ガラス枠用駆動爪６３４が下降して被駆動部７１３を下方に押圧すると、ガラス枠用フック７は枢支部７１１を中心に揺動して係止爪７２が上昇し、解錠されるようになっている。
【００２９】
さらに、実施例の施錠装置１は、上側に本発明の第二施錠手段に相当する構成を備えている。図６は、図２及び図３に示された実施例の施錠装置１の上側の第二施錠手段を説明する左側面図である。図６は、第二施錠手段の施錠状態を示しており、この図を参考にして詳述する。本体枠９２用の第二施錠手段は、フック受け７２が第二フック７３に係止されて施錠されるように構成されている。フック受け７２は紙面表裏方向に延び紙面手前側にカエシ７２１を有する板状の部材であり、図略の外枠９１に取付金具７２２を用いて固定されている。第二フック７３は左右に長い略板状の部材であり、その中央右寄りはベース８により枢支される枢支部７３１となっている。第二フック７３の外枠９１に向かう図中左端上側には傾斜部７３２が形成され、傾斜部７３２の右側に係止爪７３３が形成されている。また、第二フック７３の図中右端７３４には外枠施錠ロッド７４の上端７４１が連結され、外枠施錠ロッド７４の下端７４２はスライダ６３の長穴６３６に保持されている。さらに、第二フック７３の中央上部７３５は付勢ばね７３６により上方に付勢されて、傾斜部７３２及び係止爪７３３が上方に付勢され、外枠施錠ロッド７４が下方に付勢されている。
【００３０】
また、ガラス枠９３用の第二施錠手段は、ガラス枠用フック受け７５がガラス枠用第二フック７６に係止されて施錠されるように構成されている。ガラス枠用フック受け７５は紙面表裏方向に延びる板状の部材であり、図略のガラス枠９３に固定されている。ガラス枠用第二フック７６は左右に長い略板状の部材であり、その中央左寄りはベース８により枢支される枢支部７６１となっている。ガラス枠用第二フック７６のガラス枠９３に向かう図中右端下側には傾斜部７６２が形成され、傾斜部７６２の左側に係止爪７６３が形成されている。ガラス枠用第二フック７６の図中左端７６４にはガラス枠施錠ロッド７７の上端７７１が連結され、ガラス枠施錠ロッド７７の下端７７２はスライダ６３の長穴６３５に保持されている。さらに、ガラス枠用第二フック７６の中央下部７６５は付勢ばね７６６により下方に付勢されて、傾斜部７６２及び係止爪７６３が下方に付勢され、ガラス枠施錠ロッド７７が上方に付勢されている。
【００３１】
次に、実施例の施錠装置１の解錠操作方法及び作用について、図３〜図６を参考にして説明する。前出の図３は施錠状態、図４は解錠操作の途中でストッパ部材が駆動された状態、図５は解錠操作が終了してポールが駆動された瞬間の状態、をそれぞれ示し、各（１）は背面図、各（２）は左側面図である。図３の施錠状態において、ポール４の係止突起４２は、係止溝３３に向けて圧接され、確実にフック３を係止している。さらに、ストッパ部材５は、そのストップ端５２をポール４の解放方向に配置することにより、解放動作を禁止している。また、ガラス枠用フック７１もガラス枠用ストライカと係合して施錠状態が保たれている。
【００３２】
ここで、係員が遊技機正面からシリンダ錠６１に鍵を差し込んで図中反時計回りに回転揺動操作を行う（正面の鍵は時計回り）と、図４（１）に白抜き矢印Ｍで示されるように、揺動カム６２が反時計回りに揺動する。揺動カム６２が揺動を始めると、まず上昇駆動部６２２がストッパ部材５の被駆動端５３を図中右方に押圧し、ストッパ部材５を時計回りに駆動する。すると、ストッパ部材５は枢支部５１を中心に揺動して、ストッパ端５２は図中左方に駆動され、ポール４の上方が開かれ解放動作が許容されるようになる。さらに、揺動カム６２の揺動が進むと、上昇駆動部６２２はスライダ６３押し上げ、解錠操作終了の瞬間には図５（２）に白抜き矢印Ｎで示されるように、長穴６３１が保持ピン８１に当接するまでスライダ６３が上昇する。すると、スライダ６３のポール駆動爪６３３がポール４を上方に駆動し、ポール４は反時計回りに回転揺動して係止突起４２が係止溝３３から抜け出て、フック３が解放される。その直後、ポール４とフック３との間で橋架されたポール付勢ばね４５の付勢力により、フック３は反時計回りに回転揺動する。このとき、フック３の突部３９はポール４の図中下側壁を摺動して反時計回りに移動し、係合溝３２は図中一点鎖線で示されるように左上方に開く姿勢となって、ストライカ２が左方に離脱できる解錠状態となる。
【００３３】
また、スライダ６３の上昇により、外枠施錠ロッド７４は上方に押し上げられる。すると、上側の第二フック７３は、図６に白抜き矢印Ｐで示されるように反時計回りに揺動して、フック受け７２が左方に離脱できる解錠状態となる。つまり、シリンダ錠６１からの操作によりスライダ６３を上昇させると、上下２箇所が同時に解錠されて、本体枠９２を開けることができる。
【００３４】
解錠状態において、係員が鍵を反転操作すると、揺動部材６２及びスライダ６３は図３に示される元の状態に戻る。一方、フック３及びポール４は、揺動によりポール付勢ばね４５が変位して作用しなくなるため、図５に示された姿勢が維持される。またストッパ部材５も、揺動したポール４に邪魔されて復帰しない。ここで、本体枠９２を閉じると、ストライカ２がフック３に嵌入係合してフック３を図中時計回りに駆動し、ポール付勢ばね４５は伸張されて付勢作用が復帰する。したがって、ポール４が付勢されて時計回りに駆動され、係合突起４２は係合溝３３を係止する。また、ポール４が元の位置に戻ることにより、ストッパ部材５も元の姿勢に復帰して、図３の施錠状態に戻る。
【００３５】
また上側では、本体枠９２を閉じる際に、フック受け７２が図６の左方から第二フック７３の傾斜部７３２に当接し、付勢ばね７３６に抗して傾斜部７３２を押し下げながら嵌入し、係止爪７３３に係止されて施錠される。
【００３６】
なお、図３の施錠状態において、係員がシリンダ錠６１を図中時計回りに回転揺動操作を行う（正面の鍵は反時計回り）と、揺動カム６２は時計回りに揺動して、下降駆動部６２３がスライダ６３を押し下げ、スライダ６３は下降する。すると、スライダ６３のガラス枠用駆動爪６３４がガラス枠用フック７１の被駆動部７１３を下方に駆動し、係止爪７１２は上昇する。同時に、スライダ６３の下降により、ガラス枠施錠ロッド７７が下降する。すると、上側のガラス枠用第二フック７６は、図６に白抜き矢印Ｑで示されるように反時計回りに揺動する。これにより、上下２箇所が同時に解錠されて、ガラス枠９３を開けることができる。この解錠操作では、揺動カム６２及びスライダ６３の動作方向が逆であるため、ストッパ部材５及びポール４は駆動されず、本体枠９２の施錠状態は維持される。
【００３７】
以上説明したように、本実施例の施錠装置１では、ストッパ付勢手段５７に抗してストッパ部材５を駆動した状態とし、加えてポール付勢ばね４５に抗してポール４を駆動しなければ解錠することができない。したがって、鍵を持たない不特定者が、不正に解錠操作することは困難であり、極めて高い防犯性能が具備される。また、本実施例は、ストッパ部材５及びストッパ付勢ばね５７と周辺部品を従来の構成に追加することで実施することができ、わずかな投資コストで済む。
【産業上の利用可能性】
【００３８】
本発明の施錠装置は遊技機用だけに限定されず、ストライカ、フック及びポールを備えた一般的な施錠装置、例えば住居用ドアや門扉、シャッターなどの施錠装置に広く利用することができる。
【図面の簡単な説明】
【００３９】
【図１】遊技機の一般的な構造を説明する図である。
【図２】本発明の実施例の遊技機用施錠装置を遊技機から取り外してみた斜視図である。
【図３】図２の実施例の背面図及び左側面図であり、施錠状態を示している。
【図４】図２の実施例において、解錠操作の途中でストッパ部材が駆動された状態を示す背面図及び左側面図である。
【図５】図２の実施例において、解錠操作が終了してポールが駆動された瞬間の状態を示す背面図及び左側面図である。
【図６】図２及び図３に示された実施例の施錠装置の上側の第二施錠手段を説明する左側面図である。
【符号の説明】
【００４０】
１：遊技機用施錠装置    
２：ストライカ
３：フック
３１：枢支部    ３２：係合溝        ３３：係止溝
４：ポール
４１：枢支部    ４２：係止突起      ４５：ポール付勢ばね
５：ストッパ部材
５１：枢支部    ５２：ストップ端    ５３：被駆動端
５７：ストッパ付勢ばね
６：錠付カム機構
６１：シリンダ錠
６２：揺動カム              ６２２：上昇駆動部  ６２３：下降駆動部
６３：スライダ（連結部材）  ６３２：従動部      ６３３：ポール駆動爪
７１：ガラス枠用フック        
７２：フック受け            ７３：第二フック          ７４：外枠施錠ロッド  
７５：ガラス枠用フック受け  ７６：ガラス枠用第二フック
７７：ガラス枠施錠ロッド
８：ベース
９：遊技機
９１：外枠    ９２：本体枠    ９３：ガラス枠    ９４：枢支部
【図１】
2009160223.tif 000003
【図２】
2009160223.tif 000004
【図３】
2009160223.tif 000005
【図４】
2009160223.tif 000006
【図５】
2009160223.tif 000007
【図６】
2009160223.tif 000008